(57)【要約】【課題】強固で耐震性に優れ、縦横延長接続でき、しかも安価に建設できる太陽電池パネル架台ユニットを提供する。【解決手段】柱材１の頂部に固定された台座２と太陽電池パネルを搭載する架台３との間に振動吸収機構５を介在させる。この振動吸収機構５は、台座２上に固定された数個のボールベアリング５１を収容した受皿５３と架台３のコーナー補強板３４に固定された上蓋５２とよりなり、両者はワイヤロープ５５で結合されている。地震によって柱材１が前後左右に揺れても、ボールベアリング５１の上に乗っている上蓋５２は柱材１の揺れを吸収するので架台３の振動が少なくなる。【選択図】  図８
2014201943.tif 000002
【特許請求の範囲】
【請求項１】
太陽電池パネルを搭載するためのフレーム枠の四隅に連結部を有する太陽電池パネル搭載
部と、方形の敷地の四隅に配置され、上記４つの連結部と結合するための台座をそれぞれ
頂部に設けた４本の柱材とを備え、上記太陽電池パネル搭載部の四隅の連結部と上記柱材
の頂部に設けた台座とを耐震構造部材を介して結合したことを特徴とする太陽電池パネル
架台ユニット。
【請求項２】
上記耐震構造部材として、上記太陽電池パネル搭載部と上記柱材とが水平方向の全方位に
対して相対的に移動可能な振動吸収機構を使用したことを特徴とする請求項１に記載の太
陽電池パネル架台ユニット。
【請求項３】
上記振動吸収機構としてボールベアリング方式の振動吸収機構を使用したことを特徴とす
る請求項２に記載の太陽電池パネル架台ユニット。
【請求項４】
上記振動吸収機構としてクランクシャフト方式の振動吸収機構を使用したことを特徴とす
る請求項２に記載の太陽電池パネル架台ユニット。
【請求項５】
上記振動吸収機構として磁石方式の振動吸収機構を使用したことを特徴とする請求項２に
記載の太陽電池パネル架台ユニット。
【請求項６】
上記振動吸収機構としてユニバーサルジョイント方式の振動吸収機構を使用したことを特
徴とする請求項２に記載の太陽電池パネル架台ユニット。
【請求項７】
上記柱材の上に配置された台座は２個の上記太陽電池パネル搭載部とそれぞれ結合するた
めの２個の連結部を設けたことを特徴とする請求項２に記載の太陽電池パネル架台ユニッ
ト。
【請求項８】
上記柱材の上に配置された台座は４個の上記太陽電池パネル搭載部とそれぞれ結合するた
めの４個の連結部を設けたことを特徴とする請求項２に記載の太陽電池パネル架台ユニッ
ト。
【発明の詳細な説明】
【技術分野】
【０００１】
本発明は、太陽電池パネル架台ユニット、特に、大型の屋外駐車場、駐輪場、物置等の屋
根として使用できる太陽電池パネルの架台ユニットに関するものである。
【背景技術】
【０００２】
従来、駐車場や駐輪場の屋根に太陽電池パネルを取り付けた構造物は数多く提案されて
いる。例えば、特開２００７−５６５３４号公報には、屋外駐車場の片持ち式の屋根の上
に太陽電池パネルが取り付けられたものが開示されている。また、特開２０１１−２４６
９７８号公報には三方を遮蔽板で覆われた小屋の屋根に太陽電池パネルを取り付けた構造
物が開示されている。
【先行技術文献】
【特許文献】
【０００３】
【特許文献１】特開２００７−５６５３４号公報
【特許文献２】特開２０１１−２４６９７８号公報
【発明の概要】
【発明が解決しようとする課題】
【０００４】
上記の特開２００７−５６５３４号公報記載の駐車場用の太陽電池パネルの取付架台は、
２本の支柱に支えられた片持ち式の屋根の上に太陽電池パネルを取り付けているので強度
的にも弱く、強風等により煽られて破壊される危険性があり、特に、数十枚の太陽電池パ
ネルを結合して使用する大型の太陽電池パネル集合体用に使用するには適していない。
【０００５】
特開２０１１−２４６９７８号公報に記載の構造物は、三方を遮蔽板で囲まれた小屋の上
に太陽電池パネルを設置しているので構造的に頑丈であるが、三方を壁で囲まれ、屋根を
有する建築物は改正建築基準法によれば建築物に該当し、建築確認申請が必要となり、必
然的に小屋の建築費が高くなるという欠点がある。
【０００６】
本発明は、上記の欠点を改良し、多数の太陽電池パネルを連結した太陽電池パネル集合
体を取り付け、野外の大型駐車場、駐輪場等に使用できる強固で耐震性に優れ、しかも安
価に建設できる太陽電池パネル架台ユニットを提供することを目的とする。
【課題を解決するための手段】
【０００７】
本発明の太陽電池パネル架台ユニットは、太陽電池パネルを搭載するためのフレーム枠
の四隅に連結部を有する太陽電池パネル搭載部と、方形の敷地の四隅に配置され、上記４
つの連結部と結合するための台座をそれぞれ頂部に設けた４本の柱材とを備え、上記太陽
電池パネル搭載部の四隅の連結部と上記柱材の頂部に設けた台座とを耐震構造部材を介し
て結合したことを特徴とする。
【０００８】
上記耐震構造部材として、上記太陽電池パネル搭載部と上記柱材とが水平方向の全方位に
対して相対的に移動可能な振動吸収機構を使用する。
【０００９】
上記耐震構造部材には、太陽電池パネル搭載部と柱材との上下方向の振動を吸収するため
の振動吸収機構をさらに付加しても良い。
【００１０】
上記振動吸収機構としては、ボールベアリング方式の振動吸収機構、クランクシャフト方
式の振動吸収機構、磁石方式の振動吸収機構およびユニバーサルジョイント方式の振動吸
収機構を例示することができる。
【００１１】
上記柱材の上に配置された台座としては、２個の太陽電池パネル搭載部を２方向に結合す
るために２個の連結部を設けたものと、４個の太陽電池パネル搭載部と結合するために４
個の連結部を設けたものとがある。
【００１２】
さらに、太陽電池パネル搭載部の四隅の連結部に傾斜した取付板を設けることにより、太
陽電池パネル搭載部を柱材に対して傾斜して取り付けることもできる。
【発明の効果】
【００１３】
本発明の太陽電池パネル架台ユニットは、太陽電池パネルを搭載するためのフレーム枠
の四隅に連結部を有する太陽電池パネル搭載部と、方形の敷地の四隅に配置され、上記４
つの連結部と結合するための台座をそれぞれ頂部に設けた４本の柱材とよりなる極めて簡
単な構造で構成されているので、建設費が安価ですみ、しかも、この架台の上に太陽電池
パネルを取り付けると、下の敷地は駐車場、駐輪場あるいは物品の置き場所等多角的な用
途に使用できるので、極めて経済性が高い。
【００１４】
太陽電池パネル搭載部の四隅の連結部と柱材の頂部に設けた台座とを耐震構造部材を介し
て結合しているので、地震に際し、柱材の揺れを吸収し、架台に取り付けた太陽電池パネ
ルの損傷を防ぐことができる。
【００１５】
特に、耐震構造部材として、太陽電池パネル搭載部と柱材とが水平方向の全方位に対して
相対的に移動可能な振動吸収機構を使用しているので、地震による全方位の横揺れに対し
て、その振動を吸収し、架台に取り付けた太陽電池パネルの損傷を防ぐことができる。
【００１６】
さらに、耐震構造部材には、太陽電池パネル搭載部と柱材との上下方向の振動を吸収する
ための振動吸収機構を付加しているので、縦方向の震動も吸収し、架台に取り付けた太陽
電池パネルの損傷を防ぐことができる。
【００１７】
柱材の上に配置された台座としては、２個の太陽電池パネル搭載部を２方向に結合するた
めに２個の連結部を設けたものと、４個の太陽電池パネル搭載部と結合するために４個の
連結部を備えているので、必要に応じて、太陽電池パネル架台ユニットを縦または横方向
に連結して増設することができる。
【図面の簡単な説明】
【００１８】
【図１】本発明の太陽電池パネル架台ユニットの柱材の配置を示す斜面図。
【図２】図１の柱材に取り付けられた２方向結合用台座の平面図。
【図３】図１の柱材に取り付けられた４方向結合用台座の平面図。
【図４】本発明の太陽電池パネル架台ユニットの太陽電池パネル搭載部を示す斜面図。
【図５】本発明の太陽電池パネル搭載部に搭載する太陽電池パネル集合体の平面図。
【図６】本発明の太陽電池パネル架台ユニットを傾斜して取り付ける構造の一例を示す説明図。
【図７】本発明の太陽電池パネル架台ユニットを傾斜して取り付ける構造の他の一例を示す説明図。
【図８】本発明の太陽電池パネル架台ユニットの耐震構造部材の実施例としてのボールベアリング方式の振動吸収機構の断面図。
【図９】上記図８の振動吸収機構の台座上のボールベアリングを収容する受け皿の平面図。
【図１０】上記図８の振動吸収機構の太陽電池パネル搭載部の裏面に設けられたボールベアリング保持用の上蓋の裏面図。
【図１１】本発明の太陽電池パネル架台ユニットの耐震構造部材の実施例としてのクランクシャフト方式の振動吸収機構の断面図。
【図１２】図１１のクランクシャフトの拡大図。
【図１３】本発明の太陽電池パネル架台ユニットの耐震構造部材の実施例としての磁石方式の振動吸収機構の断面図。
【図１４】図１３の基板上に取り付けられた磁石の平面図。
【図１５】図１３の太陽電池パネル搭載部の裏面に設けられた磁石を内蔵した上蓋の裏面図。
【図１６】本発明の太陽電池パネル架台ユニットの耐震構造部材の実施例としてのユニバーサルジョイント方式の振動吸収機構の断面図。
【図１７】（a）２方向結合用台座の使用方法の説明図。（ｂ）２方向結合用台座を端末のパネル搭載部に使用する方法の説明図。（ｃ）４方向結合用台座の使用方法の説明図。
【図１８】４方向結合用台座を取り付けた柱材の側面図。
【発明を実施するための形態】
【００１９】
以下、実施例を参照して本発明の実施の形態を説明する。
【実施例１】
【００２０】
図１に示されるように、本発明の太陽電池パネル架台ユニットの４本のコンクリート製
の柱材１は方形の敷地１０の四隅に立設されている。各柱材１には上下にバンド１１、１
１が取り付けられ、各バンド１１、１１のタブ１２、１２には２本の索条１３、１３の一
端が取り付けられ、筋交い状に緊張されている。各索条１３には長さ調節用の調節器１４
が設けられている。
【００２１】
柱材１の頂部には太陽電池パネル搭載用の架台３（図４）を取り付けるための台座２が
設けられている。台座２は、基板２１、その基板２１の下に直角方向に溶接された固定取
付板２２１およびフリー取付板２２２とよりなり、柱材１の頂部を２つの取付板２２１、
２２２で挟み付け、２組のボルト２４、２４、ナット２５、２５で締め付けて固定される
。
【００２２】
台座２には図２に示されている２方向結合用台座２ａと、図３に示される４方向結合用
台座２ｂの２種類がある。台座２ａの基板２１１には架台３を取り付けるための連結部と
しての取付孔２６が２個（２６１、２６２）あり、台座２ｂの基板２１２には架台３を取
り付けるための連結部としての取付孔２６が４個（２６１、２６２、２６３、２６４）開
けられている。
【００２３】
図４に示される架台３はＣ型鋼を方形に組み立てたフレーム３１よりなり、フレーム３
１の上には数本のＣ型鋼よりなる横桟３３が、フレーム３１の下には４個の補強用のトラ
ス３２がそれぞれ取り付けられている。トラス３２の上下２本の丸パイプは端末で上下に
束ねられては図１１に示すようにフレーム３１のＣ型鋼の中に挿入されてボルトで固定さ
れている。またフレーム３１の下面の４個のコーナーには補強用の三角形のコーナー補強
板３４がそれぞれ取り付けられている。コーナー補強板３４には後述の耐震構造部材を介
して柱材１の頂部の台座２に取り付けるための連結部としての取付孔３５が設けられてい
る。
【００２４】
架台３には図５の太陽電池パネル集合体４が取り付けられる。その取り付け方法は、架
台３の横桟３３に太陽電池パネル４１の両端を市販の取り付け金具（図示せず）を使用し
て固定する。この例では、２４枚の太陽電池パネル４１が取り付けられている。
【００２５】
図６に示すように、コーナー補強板３４を架台３の側方に延伸してタブ３６を形成し、
このタブ３６を架台３に対して屈折してそこに取付孔３５を設け、台座２に取り付ければ
、架台３を柱材１に対して傾斜して設置することができる。
また、図７のように方形のコーナー補強板３４を内側に延伸してＶ字型に折り曲げてタ
ブ３７を構成すれば、柱材１と架台３との隙間を少なくすることができる。
【００２６】
架台３と台座２の間に介挿される耐震構造部材としては、図８に示されるボールベアリ
ング方式の振動吸収機構５、図１１に示されるクランクシャフト方式の振動吸収機構６、
図１３に示される磁石方式の振動吸収機構７、図１６に示されるユニバーサルジョイント
方式の振動吸収機構８を例示することができる。
【００２７】
ボールベアリング方式の振動吸収機構５は、図８および図９に示されるように、基板２
１上に固定された数個のボールベアリング５１を収容した受皿５３とコーナー補強板３４
の下に固定された上蓋５２とよりなり、両者はコーナー補強板３４に開けられた取付孔３
５と基板２１に開けられた取付孔２６２を貫通して挿入されたワイヤロープ５５で結合さ
れている。なお、５３１はボールベアリング５１の脱落を防ぐための環状堤である。
【００２８】
ワイヤロープ５５の両端には抜け防止用の端末膨大部５５１が形成され、さらに膨大部５
５１に設けられた止めピン用孔５５２に止めピンを刺してその脱落を防止する。基板２１
の下には円板５９との間に予め拡張する方向に附勢されたコイルばね５４が間挿されて、
上蓋５２を常にボールベアリング５１の方向に押し付けている。
【００２９】
なお、５９１はワイヤロープ５５の抜け止め用のワッシャー、５８は環状突起でコイルば
ね５４が横方向にずれるのを防止するためのものである。また、受皿５３の中央に開けら
れた貫通孔５７および基板２1の取付孔２６２をテーパー状に構成しているので、上蓋５
２が受皿５３に対して左右に動いた場合、ワイヤロープ５５が左右に動くのを許容するこ
とができる。
【００３０】
図９は基台１の上に取り付けた受皿５３の平面図で、ボールベアリング５１が６個収容さ
れている。図１０はコーナー補強板３４の裏面に取り付けられた上蓋５２の裏面図で、上
蓋５２の内側には環状のゴム製の緩衝材５６が貼りつけられ、上蓋５２が左右に揺れた場
合、上蓋５２と受皿５３が激突するのを防止するためのものである。なお、５２１は上蓋
５２に設けられた貫通孔である。
【００３１】
図８では基板１の左の取付孔２６１に左側の架台を、右の取付孔２６２に右の架台を取り
付けた場合を図示したものである。なお、符号ｄは上蓋５２内側のゴムの緩衝材５６と受
皿５３の外壁との間の隙間であって、この隙間があるので地震によって柱材１が前後左右
に揺れても、ボールベアリング５１の上に乗っている上蓋５２は柱材１の揺れを吸収して
振動を少なくする。
【実施例２】
【００３２】
実施例２としてクランクシャフト方式の振動吸収機構６を図１１に示す。クランクシャ
フト６１は図１２に示されるように、中間ロッド６１１に下向きロッド６１２と上向きロ
ッド６１３を取り付けてクランク状の形状をしている。下向きロッド６１２と上向きロッ
ド６１３のにはそれぞれねじ溝６１４、６１５が切られている。また、止めピン６３を挿
入するピン孔６４が削設されている。
【００３３】
基板２１の取付孔２６に下向きロッド６１２を皿座金６２を介して差し込み、基板２１の
下面に突出した下向きロッド６１２に皿座金６２、ナット６５を嵌め、ねじ溝６１４にナ
ット６５を螺合して緊着する。
【００３４】
上向きロッド６１３には皿座金６２を嵌めた後コーナー補強板３４の取付孔３５に挿入し
、コーナー補強板３４の上に突出した上向きロッド６１３に皿座金６２、ナット６５を嵌
めた後、ナット６５をねじ溝６１５に螺合して緊着する。
【００３５】
下向きロッド６１２、上向きロッド６１３のピン孔６４にそれぞれ止めピン６３を挿入し
てナット６５の離脱を防止する。
地震によって柱材１が前後左右に振動した場合、クランクシャフト６１は回動して、その
振動を吸収し、架台３に振動が伝搬する度合いを弱めることができる。また、上下方向の
振動は４個の皿座金６２が吸収する。
【実施例３】
【００３６】
実施例３として磁石方式の振動吸収機構７を図１３、図１４に示す。
基板２１には取付孔２６（テーパー孔７７）の周りに円形の磁石７１１が４個上向きに
配置されている。一方、図１３、図１５に示すように、コーナー補強板３４には円形の皿
状の上蓋７２が下向きに固定されている。上蓋７２には貫通孔７２１の周りに円形の磁石
７１２が４個配置されている。
【００３７】
コーナー補強板３４の取付孔３５にその一端に抜け止め用の膨大部７５０が設けられたワ
イヤロープ７５を挿入し、コイルばね７４および受け止める円板７９の貫通孔７９１を通
り抜けその下端で捲回して抜け止め用の膨大部７５１を形成する。７５２は止めピンを挿
入するための孔、７９２はワイヤロープ７５の抜け止め用のワッシャー、７８はコイルば
ね７４の変位を防止するための環状突起である。
【００３８】
コイルバネ７４は予め拡張方向に附勢され、磁石７１１と磁石７１２とは互いに反発する
向きに取り付けられているので、ワイヤロープ７５には常にテンションがかかり、架台３
はがたつくことなく基板２１に取り付けられている。
【００３９】
しかし、地震で柱材１が前後左右に揺れた場合、基台２１の振動は、磁石７１１に対して
浮遊状態にある磁石７１２によって緩和され、架台３の揺れを少なくすることができる。
符号ｄは上蓋７２の移動の許容範囲である。なお、上下方向の振動はコイルばね７４と浮
遊状態にある磁石７１２によって吸収される。
【実施例４】
【００４０】
実施例４としてユニバーサルジョイント方式の振動吸収機構８を図１６に示す。
ユニバーサルジョイント８１はねじ穴８１３を有する球体８１１とロッド８１５付き球体
８１２より構成される。先ず、ロッド付き球体８１２を下筺体８３に収容した状態で基板
２１にボルト８７、ナット８８で取付ける。次に下筐体８３と上筐体８２の間にコイルば
ね８５を介在させた状態で、上筐体８２に収容した球体８１１のねじ穴８１３にロッド８
１５の先端ねじ溝部分８１４を挿入して螺合して両者を結合させる。最後に上筐体８２を
コーナー補強板３４の下面にボルト８７、ナット８８で取付ける。
【００４１】
なお、８４１は上筐体８２に開けられたテーパー孔、８４２は下筐体８３に開けられたテ
ーパー孔、８９はワッシャーである。柱材１が地震で揺れた場合、その震動はユニバーサ
ルジョイント８１の揺動運動によって吸収されるので、架台３に伝わる振動は弱められる
。ユニバーサルジョイント８１の揺動運動の揺動範囲αはテーパー孔８４１および８４２
のテーパーの角度によって決められる。
地震の上下運動による振動はコイルばね８５によって吸収される。
【００４２】
図１７は本発明の太陽電池パネル架台ユニットの接続方法を図解したもので、（ａ）に示
されるように２方向結合用台座２aを使用した場合は、連結孔２６１には左側の架台Ａを
、連結孔２６２には右側の架台Ｂを連結して２方向に太陽電池パネルを伸ばしてゆく。
（ｂ）は末端の柱材１の場合を示すもので、連結孔２６１に右側の架台Ｂを取り付ける。
このようにすれば、強度的に強くなる。
（ｃ）は４方向結合用台座２ｂの場合を示し、取付孔２６１に架台Ａ、取付孔２６２に架
台Ｂ、取付孔２６３に架台Ｃ、取付孔２６４に架台Ｄをそれぞれ取り付ける。このように
すれば４方向に太陽電池場ネルを連設することができる。
【００４３】
図１８は４方向結合用台座２ｂを柱材１に取り付ける場合、２個のボルト２４だけでは不
安定であるので、柱材１に巻き付けたバンド２８に設けたタブ２９に支柱２７を取付けそ
の上端を基板２１２の下に接続して支えるようにする。支柱２７は２本でもよいが、４本
４隅に設ければ強度的にも十分になる。
【産業上の利用可能性】
【００４４】
本発明の太陽電池パネル架台ユニットは、ハウス栽培用のビニールハウスの屋根として
も利用することもできる。
【符号の説明】
【００４５】
１  柱材
２  台座
３  架台
４  太陽電池パネル集合体
５  ボールベアリング方式振動吸収機構
６  クランクシャフト方式振動吸収機構
７  磁石方式振動吸収機構
８  ユニバーサル方式振動吸収機構
【図１】
2014201943.tif 000003
【図２】
2014201943.tif 000004
【図３】
2014201943.tif 000005
【図４】
2014201943.tif 000006
【図５】
2014201943.tif 000007
【図６】
2014201943.tif 000008
【図７】
2014201943.tif 000009
【図８】
2014201943.tif 000010
【図９】
2014201943.tif 000011
【図１０】
2014201943.tif 000012
【図１１】
2014201943.tif 000013
【図１２】
2014201943.tif 000014
【図１３】
2014201943.tif 000015
【図１４】
2014201943.tif 000016
【図１５】
2014201943.tif 000017
【図１６】
2014201943.tif 000018
【図１７】
2014201943.tif 000019
【図１８】
2014201943.tif 000020